(57)【要約】【課題】空調能力が不足するのを回避する。【解決手段】この空気調和機では、圧縮機の運転がＯＦＦ状態からＯＮ状態になったとき、空気調和機１の運転が暖房運転であるか否かを判定し（Ｓ１）、暖房運転が開始された場合（Ｓ１：Ｙｅｓ）、且つ、外気温度が所定温度より低い場合には（Ｓ４：Ｙｅｓ）、圧縮の運転に係る入力電流の閾値を電流制御値Ａから、当該制御値Ａより大きな電流制御値Ｂに変更する（Ｓ５）。そして、入力電流値と電流制御値Ｂとを比較し（Ｓ８）、比較された結果、入力電流値が電流制御値Ｂより大きい場合（Ｓ８：Ｙｅｓ）、圧縮機の運転周波数を垂下させ（Ｓ９）、入力電流値が電流制御値Ｂより小さい場合（Ｓ８：Ｎｏ）、圧縮機の運転周波数を維持する。そして、電流制御値Ｂに設定してからの暖房運転時間が所定時間を越えた場合には（Ｓ１２：Ｙｅｓ）、閾値を電流制御値Ｂから電流制御値Ａに戻す（Ｓ１３）。【選択図】図３
2011085269.tif 000002
【特許請求の範囲】
【請求項１】
圧縮機の運転周波数を制御する制御部を備えた空気調和機において、
前記制御部は、
前記圧縮機の駆動に係る入力電流値を検知する電流値検知手段と、
前記入力電流値の閾値を記憶する記憶手段と、
前記電流値検知手段により検知される前記入力電流値と、前記記憶手段に記憶される閾値とを比較する比較手段と、
前記比較手段により比較された結果、前記入力電流値が前記閾値より大きくなった場合に前記圧縮機の運転周波数を垂下させる運転能力変更手段と、
暖房運転開始時において、前記記憶手段に記憶される閾値を、第１制御値から前記第１制御値より大きな第２制御値に変更する閾値設定手段とを備えることを特徴とする、空気調和機。
【請求項２】
前記閾値設定手段は、室外熱交換器に付着した氷を融解させる除霜運転が終了した後の暖房運転開始時に、前記閾値を前記第１制御値から前記第２制御値に変更することを特徴とする、請求項１に記載の空気調和機。
【請求項３】
前記閾値設定手段は、前記圧縮機の運転が第１所定時間以上停止された後の暖房運転開始時に、前記閾値を前記第１制御値から前記第２制御値に変更することを特徴とする、請求項１又は２に記載の空気調和機。
【請求項４】
外気温度を検出する外気温検出手段をさらに備え、
前記閾値設定手段は、暖房運転開始時に、前記外気温検出手段により検出される外気温度が第１所定温度より低い場合に、前記記憶手段に記憶される閾値を、前記第１制御値から前記第２制御値に変更することを特徴とする、請求項１〜３のいずれか１項に記載の空気調和機。
【請求項５】
暖房運転時間を計測するタイマ手段をさらに備え、
前記閾値設定手段は、
前記タイマ手段により計測される暖房運転時間が第２所定時間に達するまでは、前記閾値を前記第２制御値とし、前記タイマ手段により計測される暖房運転時間が前記第２所定時間に達した後は、前記閾値を前記第１制御値とすることを特徴とする、請求項１〜４のいずれか１項に記載の空気調和機。
【請求項６】
外気温度を検出する外気温検出手段をさらに備え、
前記閾値設定手段は、
前記外気温検出手段により検知される外気温度が第２所定温度より高くなると、前記閾値を前記第１制御値とすることを特徴とする、請求項５に記載の空気調和機。
【発明の詳細な説明】
【技術分野】
【０００１】
本発明は、空気調和機に関し、特に、圧縮機の運転周波数を制御する制御部を備えた空気調和機に関する。
【背景技術】
【０００２】
圧縮機の運転周波数を制御する制御部を備えた空気調和機において、圧縮機への入力電流値が第１基準値を超えたときに、圧縮機の運転周波数を垂下させ、さらに圧縮機への入力電流値が第２基準値（＞第１基準値）を超えたときに、圧縮機の運転を停止する技術が知られている（例えば、特許文献１参照）。
【先行技術文献】
【特許文献】
【０００３】
【特許文献１】特開平１０−８９７８２号公報
【発明の概要】
【発明が解決しようとする課題】
【０００４】
しかしながら、上記特許文献１に開示される空気調和機では、高周波数の空調能力で圧縮機を運転する必要がある場合でも、当該高周波数に係る入力電流値が基準値を超える場合には、圧縮機の運転周波数を垂下したり圧縮機の運転を停止したりするので、空調能力が不足し、利用快適性が失われるおそれがある。
【０００５】
そこで、この発明は、上記のような課題を解決するためになされたものであり、空調能力が不足するのを回避することが可能な空気調和機を提供することを目的とする。
【課題を解決するための手段】
【０００６】
上記課題を解決するために、第１の発明にかかる空気調和機は、圧縮機の運転周波数を制御する制御部を備えた空気調和機において、制御部は、圧縮機の駆動に係る入力電流値を検知する電流値検知手段と、入力電流値の閾値を記憶する記憶手段と、電流値検知手段により検知される入力電流値と、記憶手段に記憶される閾値とを比較する比較手段と、比較手段により比較された結果、入力電流値が閾値より大きくなった場合に圧縮機の運転周波数を垂下させる運転能力変更手段と、暖房運転開始時において、記憶手段に記憶される閾値を、第１制御値から第１制御値より大きな第２制御値に変更する閾値設定手段とを備える。
【０００７】
本願発明者らは、制御部の構成部品である電子部品が徐々に温度上昇することに着目し、暖房運転開始時から所定時間は、高周波数で圧縮機を運転したとしても、電子部品が規定温度に到達しないので、高周波数で圧縮機を運転可能であることを見出した。そこで、本発明の空気調和機では、暖房運転開始時において、閾値を第２制御値に設定するという制御を行うことにより、暖房運転を開始してから制御部の電子部品の温度が規定温度に達するまでの間、高周波数での圧縮機の運転が可能となり、空調能力が不足するのを回避することができる。
また、この空気調和機では、高周波数で圧縮機を運転するための電子部品（高電流を許容できる電子部品）を選定する必要がないので、製品の低コスト化を実現できる。
【０００８】
第２の発明にかかる空気調和機は、第１の発明にかかる空気調和機において、閾値設定手段は、室外熱交換器に付着した氷を融解させる除霜運転が終了した後の暖房運転開始時に、閾値を第１制御値から第２制御値に変更する。
【０００９】
除霜運転により空調能力が下がることで室温が下がっている場合において、この空気調和機では、高周波数の運転能力で暖房運転を行うことができる。
【００１０】
第３の発明にかかる空気調和機は、第１又は第２の発明に係る空気調和機において、閾値設定手段は、圧縮機の運転が第１所定時間以上停止された後の暖房運転開始時に、閾値を第１制御値から第２制御値に変更する。
【００１１】
圧縮機の運転が長時間停止されて室温が下がっている場合において、この空気調和機では、高周波数の運転能力で暖房運転を行うことができる。圧縮機の運転が長時間停止されれば、制御部の電子部品の温度も低下しているので、電子部品が規定温度まで達するのに要する時間を利用して、高周波数の運転能力で暖房運転を行うことができる。
【００１２】
第４の発明にかかる空気調和機は、第１〜第３のいずれかの発明にかかる空気調和機において、外気温度を検出する外気温検出手段をさらに備え、閾値設定手段は、暖房運転開始時に、外気温検出手段により検出される外気温度が第１所定温度より低い場合に、記憶手段に記憶される閾値を、第１制御値から第２制御値に変更する。
【００１３】
外気温度が低い場合には、制御部の電子部品の温度上昇が緩やかなので、閾値を第２制御値に設定して、高周波数で圧縮機を運転したとしても、短時間で電子部品が規定温度に達することがない。従って、外気温度が低く早急に室温を上げたいときに、電子部品が規定温度に達するまでの時間を利用して、高周波数で圧縮機を運転することが可能となる。
【００１４】
第５の発明にかかる空気調和機は、第１〜第４のいずれかの発明にかかる空気調和機において、暖房運転時間を計測するタイマ手段をさらに備え、閾値設定手段は、タイマ手段により計測される暖房運転時間が第２所定時間に達するまでは、閾値を第２制御値とし、タイマ手段により計測される暖房運転時間が第２所定時間に達した後は、閾値を第１制御値とする。
【００１５】
この空気調和機では、閾値を第２制御値にしておく時間を制限することにより、高周波数の運転能力での運転時間を制限して、制御部の電子部品が規定温度に達してしまうのを抑止することができる。
【００１６】
第６の発明にかかる空気調和機は、第５の発明にかかる空気調和機において、外気温度を検出する外気温検出手段をさらに備え、閾値設定手段は、外気温検出手段により検知される外気温度が第２所定温度より高くなると、閾値を第１制御値とする。
【００１７】
この空気調和機では、外気温度が高くなり電子部品の温度が上昇しやすい環境下になった場合には、暖房運転時間が第２所定時間に達しなくても、閾値を第１制御値にして高周波数での圧縮機の運転を制限する。これにより、電子部品が規定温度に到達するのを抑止することができる。
【発明の効果】
【００１８】
以上の説明に述べたように、本発明によれば、以下の効果が得られる。
【００１９】
第１の発明では、暖房運転開始時において、閾値を第２制御値に設定するという制御を行うことにより、暖房運転を開始してから制御部の電子部品の温度が規定温度に達するまでの間、高周波数での圧縮機の運転が可能となり、空調能力が不足するのを回避することができる。
また、第１の発明では、高周波数で圧縮機を運転するための電子部品（高電流を許容できる電子部品）を選定する必要がないので、製品の低コスト化を実現できる。
【００２０】
また、第２の発明では、除霜運転により空調能力が下がることで室温が下がっている場合において、高周波数の運転能力で暖房運転を行うことができる。
【００２１】
また、第３の発明では、圧縮機の運転が長時間停止されて室温が下がっている場合において、高周波数の運転能力で暖房運転を行うことができる。圧縮機の運転が長時間停止されれば、制御部の電子部品の温度も低下しているので、電子部品が規定温度まで達するのに要する時間を利用して、高周波数の運転能力で暖房運転を行うことができる。
【００２２】
外気温度が低い場合には、制御部の電子部品の温度上昇が緩やかなので、閾値を第２制御値に設定して、高周波数で圧縮機を運転したとしても、短時間で電子部品が規定温度に達することがない。従って、第４の発明では、外気温度が低く早急に室温を上げたいときに、電子部品が規定温度に達するまでの時間を利用して、高周波数で圧縮機を運転することが可能となる。
【００２３】
また、第５の発明では、閾値を第２制御値にしておく時間を制限することにより、高周波数の運転能力での運転時間を制限して、制御部の電子部品が規定温度に達してしまうのを抑止することができる。
【００２４】
また、第６の発明では、外気温度が高くなり電子部品の温度が上昇しやすい環境下になった場合には、暖房運転時間が第２所定時間に達しなくても、閾値を第１制御値にして高周波数での圧縮機の運転を制限する。これにより、電子部品が規定温度に到達するのを抑止することができる。
【図面の簡単な説明】
【００２５】
【図１】本発明の第１実施形態に係る空気調和機の冷媒配管図。
【図２】図１に示した空気調和機の室外機のブロック図。
【図３】図１に示した空気調和機における電流制御値の設定方法を説明するためのフローチャート。
【図４】本発明の第２実施形態に係る空気調和機における電流制御値の設定方法を説明するためのフローチャート。
【図５】外気温度が高い場合及び低い場合において、電流値と電子部品の温度との関係を示したグラフのイメージ図。
【発明を実施するための形態】
【００２６】
以下、図面に基づいて、本発明に係る空気調和機の実施形態について説明する。
【００２７】
（第１実施形態）
＜空気調和機の全体構成＞
本実施形態の空気調和機１は、図１に示すように、室内に設置される室内機２と、室外に設置される室外機３と、室内機２と室外機３とを接続する接続配管４とを備えている。そして、室内機２内及び室外機３内に収納された機器・弁類と、接続配管４とが接続されて冷媒回路を構成している。冷媒回路は、主として、室内熱交換器２０、室外熱交換器３０、圧縮機３１および電動膨張弁３２により構成される。冷房運転時には、圧縮機３１から吐出された高温高圧冷媒が室外熱交換器３０に流入する。そして、室外熱交換器（凝縮器）３０で凝縮した冷媒は、電動膨張弁３２で減圧された後、室内熱交換器２０に流入する。そして、室内熱交換器（蒸発器）２０で蒸発した冷媒が、圧縮機３１の吸入側に戻る。このようにして、室内熱交換器２０の周囲の空気が冷却されて、冷風が室内に供給される。また、暖房運転時には、圧縮機３１から吐出された高温高圧冷媒が室内熱交換器２０に流入する。そして、室内熱交換器（凝縮器）２０で凝縮した冷媒は、電動膨張弁３２で減圧された後、室外熱交換器３０に流入する。そして、室外熱交換器（蒸発器）３０で蒸発した冷媒が、圧縮機３１の吸入側に戻る。このようにして、室内熱交換器２０の周囲の空気が加熱されて、温風が室内に供給される。
【００２８】
＜室内機＞
室内機は、室内の壁面などに設置され、上記した室内熱交換器２０と、当該室内熱交換器２０で熱交換された空気を室内に送り出すための室内ファン２１とを備えている。
【００２９】
＜室外機＞
室外機３は、上記した室外熱交換器３０と、吸入した冷媒を圧縮する圧縮機３１と、室外熱交換器３０に接続された電動膨張弁３２と、室外熱交換器３０に付設される室外ファン（プロペラファン）３３と、圧縮機３１の吸入側に接続されるアキュームレータ３４と、圧縮機３１の吐出側に接続される四路切換弁３５とを備えている。また、室外機３には、接続配管４が接続される液閉鎖弁３６及びガス閉鎖弁３７が設けられている。また、室外機３には、室外温度を検出する外気温センサ（外気温検出手段）３８が設けられている。
【００３０】
この室外機３には、室内機２及び室外機３に搭載される各アクチュエータの動作を制御する制御部５０が設けられている。図２に示すように、制御部５０には、室外ファン３３を駆動するファンモータ３３ａ、圧縮機３１、四路切替弁３５、電動膨張弁３２、及び、外気温センサ３８が有線又は無線により通信可能に接続されている。この制御部５０は、演算処理装置であるＣＰＵ（Ｃｅｎｔｒａｌ  Ｐｒｏｃｅｓｓｉｎｇ  Ｕｎｉｔ）と、ＣＰＵが実行する制御プログラム及び制御プログラムに使用されるデータが記憶されているＲＯＭ（Ｒｅａｄ  Ｏｎｌｙ  Ｍｅｍｏｒｙ）と、プログラム実行時にデータを一時記憶するためのＲＡＭ（Ｒａｎｄｏｍ  Ａｃｃｅｓｓ  Ｍｅｍｏｒｙ）とを備える。そして、ＲＯＭに記憶された上記制御プログラムがＣＰＵに読み込まれＣＰＵ上で実行されることで、制御プログラムは、ＣＰＵなどのハードウェアを、電流値検知手段５１、記憶手段５２、比較手段５３、運転能力変更手段５４、閾値設定手段５５、タイマ手段５６、外気温検出手段５７、外気温検出手段３８として機能させるようになっている。電流値検知手段５１は、圧縮機３１の駆動に係る入力電流値を検知するためのものである。ここでは、圧縮機３１の駆動に係る入力電流値として、制御部５０の電子部品に流れる電流値を採用している。記憶手段５２は、上記した入力電流値の閾値を記憶するのものである。比較手段５３は、電流値検知手段５１により検知される入力電流値と、記憶手段５２に記憶される閾値とを比較するものである。運転能力変更手段５４は、比較手段５３により比較された結果、入力電流値が閾値よりも大きくなった場合に、圧縮機３１の運転周波数を垂下させるものである。そして、本実施形態では、閾値設定手段５５は、暖房運転開始時において、記憶手段５２に記憶される閾値を、電流制御値Ａから電流制御値Ａより大きな電流制御値Ｂに変更するものである。なお、電流制御値Ａは、デフォルトで設定される閾値であって、約１０Ａであり、電流制御値Ｂは、外気温度が第１所定温度（例えば、約４℃）より低い場合において、圧縮機３１の運転が第１所定時間（例えば、約１０分）以上停止された後の暖房運転開始時に設定される閾値であって、約１４Ａである。タイマ手段５６は、時間経過を計測するものである。なお、上記した電流制御値Ａは、運転開始から十分に時間が経過した時点で、最も電子部品の温度が上昇する条件で、電子部品の温度が規定値をギリギリ超えない電流値で設定することになる。
【００３１】
次に、図３のフローチャートを参照して、閾値設定手段５５による電流制御値の設定方法を説明する。
【００３２】
圧縮機３１の運転がＯＦＦ状態からＯＮ状態になったとき、空気調和機１の運転が暖房運転であるか否かを判定する（ステップＳ１）。暖房運転が開始されたか否かは、リモコン（図示せず）から送信される暖房運転開始指令に係る信号を受信したか否かで判断するなど種々の方法を採用できる。暖房運転が開始された場合（ステップＳ１：Ｙｅｓ）、圧縮機３１の運転がＯＦＦ状態であった時間（以下、圧縮機ＯＦＦ時間とする）を取得する（ステップＳ２）。この圧縮機ＯＦＦ時間は、上記したタイマ手段５６によって計測されるものであってもよい。そして、本実施形態では、取得した圧縮機ＯＦＦ時間と、第１所定時間（例えば、約１０分）とを比較して（ステップＳ３）、当該圧縮機ＯＦＦ時間が第１所定時間以上の場合には、外気温センサ３８によって検出される外気温度が、第１所定温度（例えば、約４℃）より低いか否かを判断する（ステップＳ４）。そして、本実施形態では、外気温度が第１所定温度より低い場合には（ステップＳ４：Ｙｅｓ）、記憶手段５２に記憶される閾値を電流制御値Ａから電流制御値Ｂに変更する（ステップＳ５）。一方、圧縮機ＯＦＦ時間が第１所定時間より短い場合（ステップＳ３：Ｎｏ）や、外気温度が第１所定温度以上の場合には（ステップＳ４：Ｎｏ）、記憶手段５２に記憶される閾値を電流制御値Ａのまま維持する（ステップＳ１３）。
【００３３】
閾値を電流制御値Ｂに設定すると、タイマ手段５６により時間経過の測定が開始される（ステップＳ６）。そして、外気温センサ３８によって検出される外気温度が、第２所定温度（例えば、約５℃）より低いか否かを判断し（ステップＳ７）、外気温度が第２所定温度より高い場合には（ステップＳ７：Ｙｅｓ）、記憶手段５２に記憶される閾値を電流制限値Ｂから電流制御値Ａに戻す（ステップＳ１３）。
【００３４】
一方、外気温度が第２所定温度以下の場合には（ステップＳ７：Ｎｏ）、比較手段５３によって、電流値検知手段５１により検知される圧縮機３１の駆動に係る入力電流値と、記憶手段５２に記憶される電流制御値Ｂとが比較される（ステップＳ８）。比較された結果、入力電流値が電流制御値Ｂより大きい場合（ステップＳ８：Ｙｅｓ）、運転能力変更手段５４が圧縮機３１の運転周波数を垂下させる（ステップＳ９）。これに対して、比較された結果、入力電流値が電流制御値Ｂ以下の場合（ステップＳ８：Ｎｏ）、運転周波数の垂下が既に行われているか否かを判断して（ステップＳ１０）、運転周波数の垂下が既に行われている場合には（ステップＳ１０：Ｙｅｓ）、その垂下された運転周波数を通常状態に復帰し（ステップＳ１１）、運転周波数の垂下が行われていない場合には（ステップＳ１０：Ｎｏ）、現状の運転周波数を維持する。
【００３５】
次に、タイマ手段５６によって計測される電流制御値Ｂを設定してからの経過時間が、第２所定時間（例えば、６０分）を越えたか否かを判断し（ステップＳ１２）、当該時間が第２所定時間を越えている場合には（ステップＳ１２：Ｙｅｓ）、閾値設定手段５５によって記憶手段５２に記憶される閾値が電流制御値Ｂから電流制御値Ａに変更される（ステップＳ１３）。これに対して、電流制御値Ｂを設定してからの経過時間が第２所定時間以下の場合には（ステップＳ１２：Ｎｏ）、再びステップＳ７の判断を繰り返し、閾値を電流制御値Ｂのまま維持する。
【００３６】
次に、比較手段５３によって、電流値検知手段５１により検知される圧縮機３１の駆動に係る入力電流値と、記憶手段５２に記憶される電流制御値Ａとが比較される（ステップＳ１４）。比較された結果、入力電流値が電流制御値Ａより大きい場合（ステップＳ１４：Ｙｅｓ）、運転能力変更手段５４が圧縮機３１の運転周波数を垂下させる（ステップＳ１５）。これに対して、比較された結果、入力電流値が電流制御値Ａ以下の場合（ステップＳ１４：Ｎｏ）、運転周波数の垂下が既に行われているか否かを判断して（ステップＳ１６）、運転周波数の垂下が既に行われている場合には（ステップＳ１６：Ｙｅｓ）、その垂下された運転周波数を通常状態に復帰し（ステップＳ１７）、運転周波数の垂下が行われていない場合には（ステップＳ１６：Ｎｏ）、現状の運転周波数を維持する。
【００３７】
［本実施形態の空気調和機の特徴］
本実施形態の空気調和機１には、以下のような特徴がある。
【００３８】
本実施形態の空気調和機１では、暖房運転開始時において、閾値を電流制御値Ｂに設定するという制御を行うことにより（ステップＳ１、Ｓ５）、暖房運転を開始してから制御部５０の電子部品の温度が規定温度に達するまでの間、高周波数での圧縮機３１の運転が可能となり、空調能力が不足するのを回避することができる。
【００３９】
また、本実施形態の空気調和機１では、高周波数で圧縮機３１を運転するための電子部品（高電流を許容できる電子部品）を選定する必要がないので、製品の低コスト化を実現できる。
【００４０】
また、本実施形態の空気調和機１では、圧縮機３１の運転が長時間停止されて室温が下がっている場合において、高周波数の運転能力で暖房運転を行うことができる（ステップＳ２、Ｓ３）。圧縮機３１の運転が長時間停止されれば、制御部５０の電子部品の温度も低下しているので、電子部品が規定温度まで達するのに要する時間を利用して、高周波数の運転能力で暖房運転を行うことができる。
【００４１】
また、本実施形態の空気調和機１では、外気温度が低い場合には（ステップＳ４：Ｙｅｓ）、閾値を電流制御値Ｂに設定している。これは、一般的に電流値の上昇に伴い電子部品の温度も上昇という関係を有するが、図５に示すように、同じ電流値でも外気温度が低いときの方が、電子部品の温度が低いことに着目している。即ち、外気温度が低い場合には、高周波数で圧縮機３１を運転したとしても、短時間で電子部品が規定温度に達することがない。従って、本実施形態の空気調和機１では、外気温度が低く早急に室温を上げたいときに、電子部品が規定温度に達するまでに要する時間を利用して、高周波数で圧縮機３１を運転することが可能となる。
【００４２】
また、本実施形態の空気調和機１では、閾値を電流制御値Ｂにしておく時間を制限することにより（ステップＳ６、Ｓ１２）、高周波数の運転能力での運転時間を制限して、制御部５０の電子部品が規定温度に達してしまうのを抑止することができる。
【００４３】
また、本実施形態の空気調和機１では、外気温度が高くなり電子部品の温度が上昇しやすい環境下になった場合には、暖房運転時間が第２所定時間に達しなくても、閾値を第１制御値にして高周波数での圧縮機３１の運転を制限することにより（ステップＳ７、Ｓ１３）、電子部品が規定温度に到達するのを抑止することができる。
【００４４】
（第２実施形態）
次に、図４のフローチャートを参照して、本発明の第２実施形態に係る空気調和機における電流制御値の設定方法を説明する。上記第１実施形態では、圧縮機ＯＦＦ時間が第１所定時間以上停止された後の暖房運転開始時に、閾値を電流制御値Ｂから電流制御値Ａに変更したが、この第２実施形態では、室外熱交換器に付着した霜を融解させる除霜運転が終了した後の暖房運転開始時に、閾値を電流制御値Ａから電流制御値Ｂに変更している。なお、第２実施形態の空気調和機の構成については、第１実施形態と同様であるので、同一番号を付し、その説明を省略する。なお、本実施形態の電流制御値Ａは、デフォルトで設定される閾値であって、約１０Ａであり、電流制御値Ｂは、外気温度が第１所定温度（例えば、約４℃）より低い場合において、除霜運転が終了した後の暖房運転開始時に設定される閾値であって、約１４Ａである。
【００４５】
室外熱交換器３０の除霜運転が終了したとき、空気調和機１の運転が暖房運転であるか否かを判定する（ステップＳ２１）。暖房運転が開始された場合（ステップＳ２１：Ｙｅｓ）、外気温センサ３８によって検出される外気温度が、第１所定温度（例えば、約４℃）より低いか否かを判断する（ステップＳ２２）。そして、本実施形態では、外気温度が第１所定温度より低い場合には（ステップＳ２２：Ｙｅｓ）、記憶手段５２に記憶される閾値を電流制御値Ａから電流制御値Ｂに変更する（ステップＳ２３）。一方、外気温度が第１所定温度以上の場合には（ステップＳ２２：Ｎｏ）、記憶手段５２に記憶される閾値を電流制御値Ａのまま維持する（ステップＳ３１）。
【００４６】
閾値を電流制御値Ｂに設定すると、タイマ手段５６により時間経過の測定が開始される（ステップＳ２４）。そして、外気温センサ３８によって検出される外気温度が、第２所定温度（例えば、約５℃）より低いか否かを判断し（ステップＳ２５）、外気温度が第２所定温度より高い場合には（ステップＳ２５：Ｙｅｓ）、記憶手段５２に記憶される閾値を電流制限値Ｂから電流制御値Ａに戻す（ステップＳ３１）。
【００４７】
一方、外気温度が第２所定温度以下の場合には（ステップＳ２５：Ｎｏ）、比較手段５３によって、電流値検知手段５１により検知される圧縮機３１の駆動に係る入力電流値と、記憶手段５２に記憶される電流制御値Ｂとが比較される（ステップＳ２６）。比較された結果、入力電流値が電流制御値Ｂより大きい場合（ステップＳ２６：Ｙｅｓ）、運転能力変更手段５４が圧縮機３１の運転周波数を垂下させる（ステップＳ２７）。これに対して、比較された結果、入力電流値が電流制御値Ｂ以下の場合（ステップＳ２６：Ｎｏ）、運転周波数の垂下が既に行われているか否かを判断して（ステップＳ２８）、運転周波数の垂下が既に行われている場合には（ステップＳ２８：Ｙｅｓ）、その垂下された運転周波数を通常状態に復帰し（ステップＳ２９）、運転周波数の垂下が行われていない場合には（ステップＳ２８：Ｎｏ）、現状の運転周波数を維持する。
【００４８】
次に、タイマ手段５６によって計測される電流制御値Ｂを設定してからの経過時間が、第２所定時間（例えば、６０分）を越えたか否かを判断し（ステップＳ３０）、当該時間が第２所定時間を越えている場合には（ステップＳ３０：Ｙｅｓ）、閾値設定手段５５によって記憶手段５２に記憶される閾値が電流制御値Ｂから電流制御値Ａに変更される（ステップＳ３１）。これに対して、電流制御値Ｂを設定してからの経過時間が第２所定時間以下の場合には（ステップＳ３０：Ｎｏ）、再びステップＳ２５の判断を繰り返し、閾値を電流制御値Ｂのまま維持する。
【００４９】
そして、比較手段５３によって、電流値検知手段５１により検知される圧縮機３１の駆動に係る入力電流値と、記憶手段５２に記憶される電流制御値Ａとが比較される（ステップＳ３２）。比較された結果、入力電流値が電流制御値Ａより大きい場合（ステップＳ３２：Ｙｅｓ）、運転能力変更手段５４が圧縮機３１の運転周波数を垂下させる（ステップＳ３３）。これに対して、比較された結果、入力電流値が電流制御値Ａ以下の場合（ステップＳ３２：Ｎｏ）、運転周波数の垂下が既に行われているか否かを判断して（ステップＳ３４）、運転周波数の垂下が既に行われている場合には（ステップＳ３４：Ｙｅｓ）、その垂下された運転周波数を通常状態に復帰し（ステップＳ３５）、運転周波数の垂下が行われていない場合には（ステップＳ３４：Ｎｏ）、現状の運転周波数を維持する。
【００５０】
［本実施形態の空気調和機の特徴］
本実施形態の空気調和機には、以下のような特徴がある。
【００５１】
本実施形態の空気調和機では、室外熱交換器３０に付着した氷を融解させる除霜運転が終了した後の暖房運転開始時に、閾値を電流制御値Ａから電流制御値Ｂに変更することにより、除霜運転により空調能力が下がることで室温が下がり、早急に室温を上げたい場合に、高周波数の運転能力で暖房運転を行うことができる。
【００５２】
また、本実施形態では、上記した効果以外に、上記した第１実施形態と同様の効果を得ることができる。
【００５３】
以上、本発明の実施形態について図面に基づいて説明したが、具体的な構成は、これらの実施形態に限定されるものでないと考えられるべきである。本発明の範囲は、上記した実施形態の説明だけではなく特許請求の範囲によって示され、さらに特許請求の範囲と均等の意味および範囲内でのすべての変更が含まれる。
【００５４】
例えば、上記実施形態では、タイマ手段５６により計測される暖房運転時間によって電流制御値Ｂを電流制御値Ａに戻す制御を行っているが、本発明はこれに限らず、制御部５０の電子部品の温度若しくは制御部５０の周辺温度を監視しておき、当該温度が所定の温度に達した場合に電流制御値Ｂから電流制御値Ａに戻す制御を行ってもよい。
【００５５】
また、上記実施形態では、暖房運転時間が所定時間を経過すると電流制御値Ｂから電流制御値Ａに戻す制御を行ったが（ステップＳ６、Ｓ１２）、本発明はこれに限らず、電流制御値Ｂから電流制御値Ａに戻すまでの時間を、外気温度によって調整してもよい。つまり、外気温度が低い場合には電子部品の温度上昇が緩やかになるので、電流制御値Ｂから電流制御値Ａに戻すまでの時間を長くし、外気温度が高い場合には電子部品の温度上昇が急になるので、電流制御値Ｂから電流制御値Ａに戻すまでの時間を短くするようにする。
【産業上の利用可能性】
【００５６】
本発明を利用すれば、空調能力が不足するのを回避することが可能な空気調和機を得ることができる。
【符号の説明】
【００５７】
１  空気調和機
３８  外気温センサ（外気温検出手段）
５０  制御部
５１  電流値検知手段
５２  記憶手段
５３  比較手段
５４  運転能力変更手段
５５  閾値設定手段
５６  タイマ手段
【図１】
2011085269.tif 000003
【図２】
2011085269.tif 000004
【図３】
2011085269.tif 000005
【図４】
2011085269.tif 000006
【図５】
2011085269.tif 000007